(57)【要約】【課題】  印字キャンセル動作の効率を高め、ユーザーに迅速に印刷環境を伝える。【解決手段】  インターフェース手段を介して外部情報機器とプリンタ間で画像データ転送を行う画像形成装置であって、前記画像データの送信状態を判定する判定手段と、キャンセルが指示された場合に、前記判定手段により最適なキャンセル方法を選択するキャンセル選択手段と、前記キャンセル方法実行時に速やかにユーザーに印刷環境を知らせる表示手段と、を有することを特徴とする。【選択図】  図４
2008055706.tif 000002
【特許請求の範囲】
【請求項１】
インターフェース手段を介して外部情報機器とプリンタ間で画像データ転送を行う画像形成装置であって、前記画像データの送信状態を判定する判定手段と、キャンセルが指示された場合に、前記判定手段に基づいてキャンセル方法を選択するキャンセル選択手段と、前記キャンセル方法実行時に速やかにユーザーに印刷環境を知らせる表示手段と、
を有する画像形成装置。
【請求項２】
前記判定手段はキャンセルする印刷ジョブに後続する画像データがあるか否かを識別する識別手段を有し、前記識別手段に基づいてキャンセル方法を選択するキャンセル選択手段と、
を有する請求項１記載の画像形成装置。
【請求項３】
前記キャンセル選択手段は前記判定手段に基づき、後続する画像データがない場合は通常のキャンセル動作、終了動作を行い、ある場合はキャンセル動作、終了動作、次印字開始動作のうち、重複する動作を省いた短縮動作を選択することを特徴とする請求項１記載の画像形成装置。
【請求項４】
前記表示手段は前記判定手段に基づいてプリンタ上のパネルに表示することを特徴とする請求項１記載の画像形成装置。
【請求項５】
前記表示手段は前記判定手段に基づいて外部情報機器に表示することを特徴とする請求項１記載の画像形成装置。
【発明の詳細な説明】
【技術分野】
【０００１】
本発明は、インクを吐出することによって非接触で記録媒体に画像を形成するインクジェット記録装置に関するもので、特に、印刷中のキャンセル動作に対するプリンタ制御方法に関する。
【背景技術】
【０００２】
従来、ホスト情報機器或いはプリンタ上のパネル操作にて印刷中のジョブがキャンセルされた場合、次印字データがあるか否かに関わらず同じ終了シーケンスを行いキャンセル動作が実行されてきた。
【０００３】
また、次印字データがある場合に現印字ジョブをキャンセルした場合、キャンセル動作が全て終了してからプリンタ上のパネルに次印字開始の表示が出る。そのため、キャンセル状態が長く、キャンセル動作が正常に行われているかをユーザーが認識しにくく、次印字が正常に開始されたことを認識するのに時間を要していた。（特許文献１）
【特許文献１】特開２００２−２００８２５号公報
【発明の開示】
【発明が解決しようとする課題】
【０００４】
通常プリンタが印字を開始してから終了するまでは開始シーケンス、印字シーケンス、終了シーケンスと三段階のシーケンスを行う。ここで開始シーケンスと終了シーケンスは重複した動作を含んでいることが多い。印字ジョブをキャンセルした場合は終了シーケンスが始まるが、この時次印字データがある場合はプリンタ動作としてはキャンセルジョブの終了シーケンス、次印字開始シーケンス、次印字シーケンスと進んでいく。しかしながら前述したように終了シーケンスと開始シーケンスでは重複した動作が含まれている場合があるため無駄が生じる。
【０００５】
本発明では上記の無駄を無くし、印字ジョブがキャンセルされた場合、次印字データがあるか否かを判別し、最適なシーケンス動作を行うように制御することを目的とする。
【０００６】
また、次印字データがあるなかで印字ジョブがキャンセルされた場合には次印字開始の表示を迅速にユーザーに伝える機構を備えたプリンタを提供することを目的とする。
【課題を解決するための手段】
【０００７】
上記の目的を達成するために本発明における画像記録装置はインターフェース手段を介して外部情報機器とプリンタ間で画像データ転送を行う画像形成装置であって、前記画像データの送信状態を判定する判定手段と、前記画像データ送信中にキャンセルが指示された場合に、前記判定手段により最適なキャンセル方法を選択するキャンセル選択手段と、前記キャンセル方法実行時に速やかにユーザーに印刷環境を知らせる表示手段と、
を有することを特徴とする。
【０００８】
また、前記判定手段はキャンセルする印刷ジョブに後続する画像データがあるか否かを識別する識別手段を有し、前記識別手段に基づいて最適なキャンセル方法を選択するキャンセル選択手段と、
を有することを特徴とする。
【０００９】
また、前記キャンセル選択手段は前記判定手段に基づき、キャンセル動作、終了動作、次印字開始動作を最適に選択することを特徴とする。
【００１０】
また、前記表示手段は前記判定手段により最適な表示をプリンタ上のパネルに表示することを特徴とする。
【００１１】
また、前記表示手段は前記判定手段により最適な表示を外部情報機器に表示することを特徴とする。
【発明の効果】
【００１２】
本発明を実施すれば印字状況に合わせてキャンセル動作を行うことができ、無駄なシーケンス動作を省いてスループットの向上を図ることができる。また、キャンセル動作と次印字の動作環境をユーザーが迅速に認識することができ、ユーザーのストレスを軽減することができる。
【発明を実施するための最良の形態】
【００１３】
以下に本発明の実施について添付図面を用いながら説明する。
【００１４】
図１は、本実施例のシステム構成を示すブロック図である。１０１はホストコンピュータであり、以下の構成からなる。
【００１５】
１０２はホストコンピュータ１０１の本体であり、CPU１０３によって制御される。ROM１０４は、後述する各コントローラの制御を行うプログラムや該プログラムで必要なデータを格納する。なお、該プログラムはCPU１０３によって実行される。
【００１６】
HDDコントローラ１０５は、ハードディスク１０６に対するデータアクセスを制御する。ハードディスク１０６には、ホストコンピュータ１０１で動作するOS、アプリケーションプログラム、プリンタドライバ、データ転送プログラム、また、キャンセルジョブ管理情報などが格納される。なお、プリンタドライバは、プリンタに転送する画像記録データを生成する。
【００１７】
ハードディスク１０６に格納されているOS、アプリケーション、プリンタドライバ、データ転送プログラムなどが、ハードディスクドライブコントローラ１０５によって、RAM１０７にロードされる。そして、RAM１０７にロードされたこれらのプログラムはCPU１０３によって実行される。また、RAM１０７は、CPU１０３が各プログラムを実行する際のワークエリアでもあり、ワークエリアにはキャンセルジョブ管理情報もロードされる。
【００１８】
ディスプレイコントローラ１０８は、CPU１０３の制御にしたがってディスプレイ装置１０９に文字・画像を表示する。キーボードコントローラ１１０は、CPU１０３の制御にしたがって、ホストコンピュータ１０１付属のキーボード１１１によるユーザーからの入力を受け付ける。これら、ディスプレイ装置１０９やキーボード１１１を用いて、ユーザーは印刷データの作成や印刷操作などを対話的に行う。
【００１９】
データ入出力コントローラ１１２は、CPU１０３の制御にしたがって、プリンタ１１３との間の双方向通信を制御する。
【００２０】
また、プリンタ１１３の構成については図２を用いて説明する。
【００２１】
図２はインクジェット記録装置の内部を仮想的に見た斜視図である。
【００２２】
図２において、インクジェット記録装置２０２は、プリンタ装置本体２０１と、プリンタ装置本体２０１を乗せるスタンド２０３と、排紙された記録紙等の記録媒体を積載するスタッカ２１４とから構成されている。プリンタ装置本体２０１の前面に手差し挿入口２０４が設けられ、その下部に前面へ開閉可能なロール紙カセット２０５が設けられており、記録紙等の記録媒体（不図）は手差し挿入口２０４又はロール紙カセット２０５からプリンタ装置本体２０１内に供給される。プリンタ装置本体２０１は、開閉可能なアッパーカバー（不図）を備え、図示右側には、操作パネル部２０７、インク供給ユニット２０８（インクタンクを含む）が配設されている。
【００２３】
さらに、図２において、インクジェット記録装置２０２の内部を仮想的に見ると、記録紙等の記録媒体を矢印Ｂ方向（副走査方向）に搬送するための搬送ローラ２０９と、記録媒体の幅方向（矢印Ａ方向、主走査方向）に往復移動可能に案内支持されたキャリッジユニット２１０と、キャリッジユニット２１０を矢印Ａ方向に往復移動させるためのキャリッジモータ（不図示）及びベルト伝動手段２１１と、キャリッジユニット２１０に装着された記録手段としての記録ヘッド２１２とインクを供給するとともに記録ヘッド２１２の吐出口の目詰まりなどによるインク吐出不良を解消させるための吸引式インク回復ユニット２１３を備えている。
【００２４】
図示のインクジェット記録装置の場合、キャリッジユニット２１０には、記録媒体にカラー記録を行うための記録ヘッド２１２が装着されている。この記録ヘッドは、例えば、それぞれ異なった色のインクに対応した４つのインク色｛例えば、Bk（ブラック）、Ｃ（シアン）、Ｍ（マゼンタ）、Y（イエロー）｝や、更に２つのインク色｛例えば、淡Ｃ（淡色シアン）、淡Ｍ（淡色マゼンタ）を追加した６色等で構成されている。
【００２５】
または、記録ヘッド２１２は、複数の記録ヘッドで構成されるプリンタもある。この複数の記録ヘッドは、例えば、それぞれ異なった色のインクに対応した４つの記録ヘッド｛例えば、Bk（ブラック）用ヘッド、Ｃ（シアン）用ヘッド、Ｍ（マゼンタ）用ヘッド、Y（イエロー）用ヘッド｝や、更に２つの記録ヘッド例えば、淡Ｃ（淡色シアン）用ヘッド、淡Ｍ（淡色マゼンタ）用ヘッド｝を追加した６記録ヘッド等で構成されている。
【００２６】
このようなインクジェット記録装置２０２においてホストコンピュータ（不図）から印字データが送られると記録ヘッド２１２のキャッピング動作、ワイプ動作、予備吐などの印字開始シーケンスを開始する。
【００２７】
次に搬送ローラ２０９によって記録媒体を所定の記録開始位置まで搬送した後、ここから記録ヘッド２１２による主走査及び搬送ローラ２０９による副走査を繰り返すことにより、記録媒体全体に対する記録が行われる。
【００２８】
すなわち、キャリッジベルトおよびキャリッジモータ（不図示）によってキャリッジユニット２１０が図２中の矢印Ａ方向に移動することにより、記録媒体に記録が行われる。キャリッジユニット２１０が走査される前の位置に戻されると、搬送ローラ２０９によって記録媒体が副走査方向に搬送され、その後再び図２中の矢印Ａ方向にキャリッジユニット２１０の走査が行なわれることにより、記録媒体に対する画像や文字等の記録が行なわれる。
【００２９】
上記の動作を繰り返し、記録媒体の１枚分の記録が終了すると、該記録媒体はスタッカ２１４内に排紙され、１枚分の記録が完了する。
【００３０】
その後再びキャッピング動作、ワイプ動作、予備吐などの終了シーケンスを行い一回の印字動作が完了する。
【００３１】
図３は印字ジョブのキャンセル動作を行う場合のブロック図を示す。印字ジョブのキャンセルはホストコンピュータ３０１からキャンセル信号がシーケンス制御部３０２内のキャンセル受信部３０５に送られるか、或いはプリンタの操作パネル３０３からキャンセル動作を選択することにより行われる。
【００３２】
キャンセル受信部３０５にキャンセル信号が送られると次に次印字データ判別部３０６にて次印字データがあるか否かの判別が行われる。
【００３３】
次印字データが無い場合にはキャンセル動作指示部３０７からプリンタの各動作部３０８に通常終了シーケンスを行うよう信号が出され、プリンタのエンジンの記録動作停止や、プリンタの受信バッファにおけるジョブデータの破棄や、ジョブ実行の際にプリンタに対して設定された解像度や給紙方法や印字モードなどの設定値のクリアや、印刷中のメディアの排紙などが行われる。続いて記録ヘッドのキャッピング動作、ワイプ動作、予備吐など記録ヘッドの状態を正常に保つための終了シーケンスが行われる。
【００３４】
次印字データがある場合には同様にプリンタのエンジンの記録動作停止や、プリンタの受信バッファにおけるジョブデータの破棄や、ジョブ実行の際にプリンタに対して設定された解像度や給紙方法や印字モードなどの設定値のクリアや、印刷中のメディアの排紙などが行われる。しかし続く終了シーケンスは通常時と異なり、印字開始シーケンスと重複した動作（例えばキャッピング動作、ワイプ動作、予備吐など）を省いたシーケンスによりキャンセル動作を実行する。
【００３５】
また、この時短縮終了シーケンスが始まると同時に操作パネル３０３或いはホストコンピュータ３０１に次印字開始の表示を行わせる。この次印字開始の表示はユーザーが次印字開始を明確に認識するように単なる印字開始を示すものではなく、キャンセルした印字ジョブに後続する印字ジョブの開始であることを明確にしたものとする。
【００３６】
ここで、短縮終了シーケンスの内容を図４に示す。前述ように次印字データがある場合には通常終了シーケンスではなく短縮シーケンスを行う。この短縮シーケンスは従来行っていた通常終了シーケンスと通常開始シーケンスから重複動作を1つにした動作であり、重複動作分Δt1時間、スループットの向上を図ることができる。
【００３７】
また、短縮シーケンスが始まると同時にユーザーに次印字開始を伝えることで次印字開始の表示はΔt2時間短縮し、印字開始を確認しようとするユーザーに対しては待ち時間を減らし、ストレスを減少させることができる。
【００３８】
以上説明したように本発明を用いればキャンセル動作を印字状況に合わせて効率的に実行できるとともに、次印字開始の表示をユーザーに迅速に知らせることができる。
【図面の簡単な説明】
【００３９】
【図１】本実施例のシステム構成を示すブロック図である。
【図２】インクジェット記録装置の内部を仮想的に見た斜視図である。
【図３】印字ジョブのキャンセル動作を行う場合のブロック図である。
【図４】本実施例での短縮キャンセルシーケンスを示す図である。
【符号の説明】
【００４０】
１０１  パソコン
１０２  パソコン内部
１０４  CPU
１０６  HDDコントローラ
１０７  ハードディスク
１０８  ディスプレイコントローラ
１０９  ディスプレイ装置
１１０  キーボードコントローラ
１１１  キーボード
１１２  データ入出力コントローラ
１１３  プリンタ
２０１  プリンタ装置本体
２０２  インクジェット記録装置
２０３  スタンド
２０４  手差し挿入口
２０５  ロール紙カセット
２０７  操作パネル部
２０８  インク供給ユニット
２０９  搬送ローラ
２１０  キャリッジユニット
２１１  ベルト伝動手段
２１２  記録ヘッド
２１３  回復ユニット
２１４  スタッカ
３０１  ホストコンピュータ
３０２  シーケンス制御部
３０３  操作パネル
３０５  キャンセル受信部
３０７  キャンセル動作指示部
３０８  プリンタ各動作部
【図１】
2008055706.tif 000003
【図２】
2008055706.tif 000004
【図３】
2008055706.tif 000005
【図４】
2008055706.tif 000006